【手続補正書】
【提出日】平成17年3月30日(2005.3.30)
【手続補正１】
【補正対象書類名】明細書
【補正対象項目名】特許請求の範囲
【補正方法】変更
【補正の内容】
【特許請求の範囲】
【請求項１】
ディスク面上に設けられ再生すべき記録情報を記録するためのトラックと、前記トラックに設けられ複数の箇所で位相が変化するウォブルとを備え、前記ディスク面上における位置を示す位置情報が前記ウォブルの位相の変化として記録された情報記録ディスクであって、
前記記録情報は、所定の配置周期で配置され、当該記録情報の記録または再生の際に同期をとるための同期信号を含んでおり、
前記記録情報が前記トラック上に記録されたときに、前記トラック上において前記ウォブルの位相が変化する間隔が、前記同期信号の配置周期のＮ倍（Ｎは１以上の整数）である情報記録ディスク。
【請求項２】
前記記録情報が前記トラック上に記録されたときに、前記ウォブルの位相が変化する位置には、前記記録情報における前記同期信号が配置される請求項１に記載の情報記録ディスク。
【請求項３】
前記ウォブルの位相の変化は位相の反転である請求項１または２に記載の情報記録ディスク。
【請求項４】
前記位置情報は最長反転間隔を制限した符号であるＲＬＬ（Run Length Limited）符号からなる２値データである請求項３に記載の情報記録ディスク。
【請求項５】
前記ウォブルの周期は、前記記録情報を記録する基準として用いられる基準クロックの周期の４Ｐ倍（Ｐは１以上の整数）であり、かつ、前記同期信号の配置周期の１／Ｍ（Ｍは２以上の整数）である請求項１ないし４のいずれかに記載の情報記録ディスク。
【請求項６】
ディスク面上に設けられ再生すべき記録情報を記録するためのトラックと、前記トラックに設けられ複数の箇所で位相が変化するウォブルとを備え、前記ディスク面上における位置を示す位置情報が前記ウォブルの位相の変化として記録された情報記録ディスクであって、前記記録情報は、所定の配置周期で配置され、当該記録情報の記録または再生の際に同期をとるための同期信号を含んでおり、前記記録情報が前記トラック上に記録されたときに、前記トラック上において前記ウォブルの位相が変化する間隔が、前記同期信号の配置周期のＮ倍（Ｎは１以上の整数）である情報記録ディスクに前記記録情報を記録する情報記録装置であって、
前記ウォブルに対応したウォブル信号を前記情報記録ディスクから検出するウォブル検出手段と、
前記ウォブル信号の位相を検出し、前記ウォブル信号の位相の変化を示す検出信号を生成する位相検出手段と、
前記検出信号に基づいて前記位置情報を復調する位置情報復調手段と、
前記検出信号から前記ウォブル信号の位相が変化するタイミングを検出し、これに基づいて前記記録情報における前記同期信号の配置周期を示す制御信号を生成する信号生成手段と、
前記位置情報復調手段により復調された位置情報と前記信号生成手段により生成された制御信号に基づいて前記ディスク面上の記録位置を特定し、前記ウォブルの位相が変化する間隔が前記同期信号の配置周期のＮ倍となるように、前記記録情報を前記特定された記録位置から記録する記録手段と、
を備えた情報記録装置。
【請求項７】
前記位相検出手段は、検出した前記ウォブル信号の位相が変化するタイミングを平均化する平均化手段を有する請求項６に記載の情報記録装置。
【請求項８】
ディスク面上に設けられ再生すべき記録情報を記録するためのトラックと、前記トラックに設けられ複数の箇所で位相が変化するウォブルとを備え、前記ディスク面上における位置を示す位置情報が前記ウォブルの同位相の一群として記録された情報記録ディスクであって、
前記記録情報は、所定の配置周期で配置され、当該記録情報の記録または再生の際に同期をとるための同期信号を含んでおり、
前記記録情報が前記トラック上に記録されたときに、前記トラック上における前記一群の開始位置の間隔が、前記同期信号の配置周期のＮ倍（Ｎは１以上の整数）であることを特徴とする情報記録ディスク。
【請求項９】
前記位置情報は最長反転間隔を制限した符号であるＲＬＬ（Run Length Limited）符号からなる２値データであることを特徴とする請求項８に記載の情報記録ディスク。
【請求項１０】
前記記録情報が前記トラック上に記録されたときに、前記一群の開始位置には、前記記録情報における前記同期信号が配置されることを特徴とする請求項８に記載の情報記録ディスク。
【請求項１１】
ディスク面上に設けられ再生すべき記録情報を記録するためのトラックと、前記トラックに設けられ複数の箇所で位相が変化するウォブルとを備え、前記ディスク面上における位置を示す位置情報が複数の前記ウォブルの同位相の一群として記録された情報記録ディスクであって、前記記録情報は、所定の配置周期で配置され、当該記録情報の記録または再生の際に同期をとるための同期信号を含んでおり、前記記録情報が前記トラック上に記録されたときに、前記トラック上における前記一群の開始位置の間隔が、前記同期信号の配置周期のＮ倍（Ｎは１以上の整数）である情報記録ディスクに前記記録情報を記録する情報記録装置であって、
前記ウォブルに対応したウォブル信号を前記情報記録ディスクから検出するウォブル検出手段と、
前記ウォブル信号の位相を検出し、前記ウォブル信号の位相の変化を示す検出信号を生成する位相検出手段と、
前記検出信号に基づいて前記位置情報を復調する位置情報復調手段と、
を備えたことを特徴とする情報記録装置。
【請求項１２】
前記検出信号から前記一群の開始位置のタイミングを検出し、これに基づいて前記記録情報における前記同期信号の配置周期を示す制御信号を生成する信号生成手段と、
前記位置情報復調手段により復調された位置情報と前記信号生成手段により生成された制御信号に基づいて前記ディスク面上の記録位置を特定し、前記一群の開始位置の間隔が前記同期信号の配置周期のＮ倍（Ｎは１以上の整数）となるように、前記記録情報を前記特定された記録位置から記録する記録手段と、
を更に備えたことを特徴とする請求項１１に記載の情報記録装置。
【請求項１３】
前記位相検出手段は、検出した前記一群の開始位置のタイミングを平均化する平均化手段を有することを特徴とする請求項１１又は１２に記載の情報記録装置。
【手続補正２】
【補正対象書類名】明細書
【補正対象項目名】００１０
【補正方法】変更
【補正の内容】
【００１０】
【課題を解決するための手段】
上記課題を解決するために、請求項１に記載の発明は、ディスク面上に設けられ再生すべき記録情報を記録するためのトラックと、前記トラックに設けられ複数の箇所で位相が変化するウォブルとを備え、前記ディスク面上における位置を示す位置情報が前記ウォブルの位相の変化として記録された情報記録ディスクであって、前記記録情報は、所定の配置周期で配置され、当該記録情報の記録または再生の際に同期をとるための同期信号を含んでおり、前記記録情報が前記トラック上に記録されたときに、前記トラック上において前記ウォブルの位相が変化する間隔が、前記同期信号の配置周期のＮ倍（Ｎは１以上の整数）であるように構成されている。
【手続補正３】
【補正対象書類名】明細書
【補正対象項目名】００１１
【補正方法】変更
【補正の内容】
【００１１】
上記の課題を解決するために、請求項６に記載の発明は、ディスク面上に設けられ再生すべき記録情報を記録するためのトラックと、前記トラックに設けられ複数の箇所で位相が変化するウォブルとを備え、前記ディスク面上における位置を示す位置情報が前記ウォブルの位相の変化として記録された情報記録ディスクであって、前記記録情報は、所定の配置周期で配置され、当該記録情報の記録または再生の際に同期をとるための同期信号を含んでおり、前記記録情報が前記トラック上に記録されたときに、前記トラック上において前記ウォブルの位相が変化する間隔が、前記同期信号の配置周期のＮ倍（Ｎは１以上の整数）である情報記録ディスクに前記記録情報を記録する情報記録装置であって、前記ウォブルに対応したウォブル信号を前記情報記録ディスクから検出するウォブル検出手段と、前記ウォブル信号の位相を検出し、前記ウォブル信号の位相の変化を示す検出信号を生成する位相検出手段と、前記検出信号に基づいて前記位置情報を復調する位置情報復調手段と、前記検出信号から前記ウォブル信号の位相が変化するタイミングを検出し、これに基づいて前記記録情報における前記同期信号の配置周期を示す制御信号を生成する信号生成手段と、前記位置情報復調手段により復調された位置情報と前記信号生成手段により生成された制御信号に基づいて前記ディスク面上の記録位置を特定し、前記ウォブルの位相が変化する間隔が前記同期信号の配置周期のＮ倍となるように、前記記録情報を前記特定された記録位置から記録する記録手段と、備える。
【手続補正４】
【補正対象書類名】明細書
【補正対象項目名】００１２
【補正方法】変更
【補正の内容】
【００１２】
上記の課題を解決するために、請求項８に記載の発明は、ディスク面上に設けられ再生すべき記録情報を記録するためのトラックと、前記トラックに設けられ複数の箇所で位相が変化するウォブルとを備え、前記ディスク面上における位置を示す位置情報が前記ウォブルの同位相の一群として記録された情報記録ディスクであって、前記記録情報は、所定の配置周期で配置され、当該記録情報の記録または再生の際に同期をとるための同期信号を含んでおり、前記記録情報が前記トラック上に記録されたときに、前記トラック上における前記一群の開始位置の間隔が、前記同期信号の配置周期のＮ倍（Ｎは１以上の整数）であるように構成される。
【手続補正５】
【補正対象書類名】明細書
【補正対象項目名】００１３
【補正方法】変更
【補正の内容】
【００１３】
上記の課題を解決するために、請求項１１に記載の発明は、ディスク面上に設けられ再生すべき記録情報を記録するためのトラックと、前記トラックに設けられ複数の箇所で位相が変化するウォブルとを備え、前記ディスク面上における位置を示す位置情報が複数の前記ウォブルの同位相の一群として記録された情報記録ディスクであって、前記記録情報は、所定の配置周期で配置され、当該記録情報の記録または再生の際に同期をとるための同期信号を含んでおり、前記記録情報が前記トラック上に記録されたときに、前記トラック上における前記一群の開始位置の間隔が、前記同期信号の配置周期のＮ倍（Ｎは１以上の整数）である情報記録ディスクに前記記録情報を記録する情報記録装置であって、前記ウォブルに対応したウォブル信号を前記情報記録ディスクから検出するウォブル検出手段と、前記ウォブル信号の位相を検出し、前記ウォブル信号の位相の変化を示す検出信号を生成する位相検出手段と、前記検出信号に基づいて前記位置情報を復調する位置情報復調手段と、を備える。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】０１３８
【補正方法】変更
【補正の内容】
【０１３８】
このように、本発明の実施形態による記録再生装置７０は、光ディスク１の位置を容易かつ正確に特定でき、既に記録データが記録された光ディスク１に新たな記録データを追加して記録するとき、従来のＣＤ−ＲまたはＣＤ−ＲＷのように、ダミーデータ等を用いてバッファ領域を確保しなくても、既記録データに新記録データが上書きされるのを防止することができる。従って、光ディスク１上の記憶領域の無駄な使用を排除でき、光ディスク１の記憶容量を実質的に増加させることができる。
かかる効果に加え、本発明の実施形態による光ディスク１によれば、再生専用の光ディスクと記録可能な光ディスクとの間で互換性を容易に図ることができる。これにより、再生専用の光ディスクか記録可能な光ディスクかの違いを考慮せずに、光ディスクに記録された情報の再生を共通の記録再生装置７０で実現することができる。このことは、当該記録再生装置７０の構造の簡単化、コスト低減に貢献する。
【手続補正１６】
【補正対象書類名】明細書
【補正対象項目名】０１４０
【補正方法】削除
【補正の内容】
【手続補正１７】
【補正対象書類名】明細書
【補正対象項目名】０１４１
【補正方法】削除
【補正の内容】